(57)【要約】【課題】本考案は、雪運びや堆肥運びに利用できるように、積載量を増大させる軽トラック荷台のコーナーに設置する軽トラックのコンパネ用コーナーブラケットを提供する。【解決手段】コンパネ用コーナーブラケット１，２は、開口側が外向きになるように互いに９０°の角度で背中向きに配置した断面Ｕ字形鋼材からなるコンパネ支持ブラケット３，４と、該コンパネ支持ブラケット３，４の上下端を連結固定する正三角形の上板５及び正方形の底板６と、一方のコンパネ支持ブラケット４の中間位置及び下端位置で閉鎖端の外側側壁から他方のコンパネ支持ブラケット３の幅を越えて平行に延長した取付固定片７，９と、他方のコンパネ支持ブラケット３の中間位置及び下端位置で閉鎖端の外側側壁から前記取付固定片７，９へ突き当って支持する支持固定片８，１０とから構成される。【選択図】図１
0003176414.tif 000002
【実用新案登録請求の範囲】
【請求項１】
開口側が外向きになるように互いに９０°の角度で背中向きに配置した断面Ｕ字形鋼材からなるコンパネ支持ブラケットと、該コンパネ支持ブラケットの上下端を連結固定する正三角形の上板及び正方形の底板と、一方のコンパネ支持ブラケットの中間位置で閉鎖端の外側側壁から他方のコンパネ支持ブラケットの幅を越えて平行に延長した取付固定片と、他方のコンパネ支持ブラケットの中間位置で閉鎖端の外側側壁から前記取付固定片へ突き当って支持する支持固定片と、同様に、一方のコンパネ支持ブラケットの下端位置で閉鎖端の外側側壁から他方のコンパネ支持ブラケットの幅を越えて平行に延長した取付固定片と、他方のコンパネ支持ブラケットの下端位置で閉鎖端の外側側壁から前記取付固定片へ突き当って支持する支持固定片とから構成されることを特徴とする軽トラックのコンパネ用コーナーブラケット。
【請求項２】
軽トラック荷台の四隅に配置するため、コンパネ用コーナーブラケットの取付固定片及び支持固定片の取り付けを入れ換えた対称的なコンパネ用コーナーブラケットを用意することを特徴とする請求項１記載の軽トラックのコンパネ用コーナーブラケット。
【考案の詳細な説明】
【技術分野】
【０００１】
本考案は、積載量を増大させるために軽トラック荷台のコーナーに設置する軽トラックのコンパネ用コーナーブラケットに関する。
【背景技術】
【０００２】
従来、収穫した籾米を籾摺り作業場へ搬入する際に、軽トラックに搭載して使用するものであって取り扱いが簡便で極めて経済的な構造を有するようにした新規な構造のトラック用粉粒体搬送容器が知られている（特許文献１を参照）。
この公知技術は、トラック荷台に搭載可能であって、矩形平面４隅に夫々支柱を立設状配置とした骨格体と、該骨格体内に収容可能な籾米等粉粒体収容の袋体と、第１環部と第２環部、および第２環部に固定ベルトを有する吊下げベルトとからなり、隅角部の支柱を利用して襷掛けにして交差状に掛け渡して固定するように吊下げベルトによって吊下げられるトラック搭載用粉粒体搬送容器である。
この公知技術は籾米等の粉粒体には便利であるが、軽トラックでの雪運びや堆肥運びには利用できないものであった。
【０００３】
また、軽トラックの荷台の四隅に支柱を立設し、雨天には荷台上にシートを張って商品が雨に濡れるのを防ぐ軽トラックのシート支持用支柱が知られている（特許文献２を参照）。
この公知技術は、荷台へシートの一端を支持する支柱を樹立し、該支柱にはシートへ装着した丸環を係止する係止具を取り付けた軽トラックのシート支持用支柱である。
この公知技術は雨に濡れるのを防ぐには便利であるが、軽トラックでの雪運びや堆肥運びには利用できないものであった。
【先行技術文献】
【特許文献】
【０００４】
【特許文献１】特開平９−１５０８８８号公報
【特許文献２】実開昭６２−１１０４５号公報
【考案の概要】
【考案が解決しようとする課題】
【０００５】
本考案は、雪運びや堆肥運びに利用できるように、積載量を増大させる軽トラック荷台のコーナーに設置する軽トラックのコンパネ用コーナーブラケットを提供することを目的とする。
【課題を解決するための手段】
【０００６】
本考案の軽トラックのコンパネ用コーナーブラケットは、開口側が外向きになるように互いに９０°の角度で背中向きに配置した断面Ｕ字形鋼材からなるコンパネ支持ブラケットと、該コンパネ支持ブラケットの上下端を連結固定する正三角形の上板及び正方形の底板と、一方のコンパネ支持ブラケットの中間位置で閉鎖端の外側側壁から他方のコンパネ支持ブラケットの幅を越えて平行に延長した取付固定片と、他方のコンパネ支持ブラケットの中間位置で閉鎖端の外側側壁から前記取付固定片へ突き当って支持する支持固定片と、同様に、一方のコンパネ支持ブラケットの下端位置で閉鎖端の外側側壁から他方のコンパネ支持ブラケットの幅を越えて平行に延長した取付固定片と、他方のコンパネ支持ブラケットの下端位置で閉鎖端の外側側壁から前記取付固定片へ突き当って支持する支持固定片とから構成される。
【考案の効果】
【０００７】
本考案の軽トラックのコンパネ用コーナーブラケットは、軽トラックのあおりに４本のコンパネ用コーナーブラケットを取り付けてＪＩＳコンパネを４枚挿入するだけで、雪運びや堆肥運びに積載量を増大させることが出来る。
また、本考案の軽トラックのコンパネ用コーナーブラケットは、軽トラックの標準三方開き用（あおり高さ２９０ｍｍ）と軽ダンプカー用（あおり高さ２５０ｍｍ）とを兼用でき、雪、鶏糞、堆肥、籾殻堆肥、おが屑等を対象として、果樹園、畑、田園への運搬用に大変便利である。
【図面の簡単な説明】
【０００８】
【図１】本考案の軽トラックのコンパネ用コーナーブラケットの（ａ）コンパネ用コーナーブラケット１、（ｂ）コンパネ用コーナーブラケット２の斜視図である。
【図２】図１のＡ矢視図である。
【図３】図１のＢ−Ｂ断面図である。
【図４】コンパネ用コーナーブラケットをあおりに取り付ける手順を示す説明図である。
【図５】荷台にコンパネ用コーナーブラケットを取り付けた状態の一部省略斜視図である。
【図６】コンパネ及びラックを装着した状態の軽トラックの全体斜視図である。
【図７】コンパネ用コーナーラックの斜視図である。
【考案を実施するための形態】
【０００９】
本考案の軽トラックのコンパネ用コーナーブラケットの一実施例を添付図面に基づいて、以下に説明する。
図１（ａ）の斜視図に示すように、本考案の軽トラックのコンパネ用コーナーブラケット１は、開口側が外向きになるように互いに９０°の角度で背中向きに配置した断面Ｕ字形鋼材からなるコンパネ支持ブラケット３，４と、該コンパネ支持ブラケット３，４の上下端を連結固定する正三角形の上板５及び正方形の底板６と、一方のコンパネ支持ブラケット４の中間位置で閉鎖端の外側側壁から他方のコンパネ支持ブラケット３の幅を越えて平行に延長した取付固定片７と、他方のコンパネ支持ブラケット３の中間位置で閉鎖端の外側側壁から前記取付固定片７へ突き当って支持する支持固定片８と、同様に、一方のコンパネ支持ブラケット４の下端位置で閉鎖端の外側側壁から他方のコンパネ支持ブラケット３の幅を越えて平行に延長した取付固定片９と、他方のコンパネ支持ブラケット３の下端位置で閉鎖端の外側側壁から前記取付固定片９へ突き当って支持する支持固定片１０とから構成される。
前記取付固定片７及び取付固定片９の先端側には、トラビスを挿入する長孔１１，１２を夫々設ける。
なお、番号１３は、前記支持ブラケット１の側壁の中間位置に設けた切り欠きである。
【００１０】
前記コンパネ用コーナーブラケットは、軽トラック荷台の四隅に配置するため、２種類を用意する。すなわち、図１（ａ）に示すコンパネ用コーナーブラケット１と対称的な図１（ｂ）に示すコンパネ用コーナーブラケット２を用意する必要がある。
次に、前記コンパネ用コーナーブラケット２を図１（ｂ）に基づいて説明すると、
前記コンパネ用コーナーブラケット２は、一方のコンパネ支持ブラケット４の中間位置で閉鎖端の外側側壁から他方のコンパネ支持ブラケット３の幅を越えて平行に延長した取付固定片７’（図１（ａ）の取付固定片７と対称位置）と、他方の支持ブラケット３の中間位置で閉鎖端の外側側壁から前記取付固定片７’へ突き当って支持する支持固定片８’（図１（ａ）の支持固定片８と対称位置）と、同様に、一方のコンパネ支持ブラケット４の下端位置で閉鎖端の外側側壁から他方のコンパネ支持ブラケット３の幅を越えて平行に延長した取付固定片９’（図１（ａ）の取付固定片９と対称位置）と、他方のコンパネ支持ブラケット３の下端位置で閉鎖端の外側側壁から前記取付固定片９’へ突き当って支持する支持固定片１０’（図１（ａ）の支持固定片１０と対称位置）とからなる。
【００１１】
前記コンパネ支持ブラケット３，４は、断面Ｕ字形鋼材からなり、Ｕ字開口がコンパネを挿入できる幅で、高さはあおりを解放した時に地面に触れない寸法とする。
前記上板５は、正三角形の鋼板で、図２の矢視図に示すように図示しないコンパネの挿入を邪魔しないようにして、前記コンパネ支持ブラケット３，４の閉鎖部の上端を連結固定するように配置される。
前記底板６は、正方形の鋼板で、図３のＢ−Ｂ断面図に表された前記ンパネ支持ブラケット３，４の下端開口を閉鎖するように連結固定される。
前記取付固定片７は、コンパネ支持ブラケット４の中間位置、すなわち軽トラックのあおりの上端位置で、コンパネ支持ブラケット４の閉鎖端の外側側壁から他方のコンパネ支持ブラケット３の幅を越えて平行に延長して取り付けられる。
前記支持固定片８は、コンパネ支持ブラケット３の中間位置、すなわち軽トラックのあおりの上端位置で、コンパネ支持ブラケット３の閉鎖端の外側側壁から前記取付固定片７へ突き当って支持する
前記取付固定片９は、コンパネ支持ブラケット４の下端位置、すなわち軽トラックのあおりの下端位置で、コンパネ支持ブラケット４の閉鎖端の外側側壁から他方のコンパネ支持ブラケット３の幅を越えて平行に延長して取り付けられる。
前記支持固定片１０は、コンパネ支持ブラケット３の下端位置、すなわち軽トラックのあおりの下端位置で、コンパネ支持ブラケット３の閉鎖端の外側側壁から前記取付固定片９へ突き当って支持する。
なお、コンパネは、コンクリート型枠用合板の略称で、ＪＩＳ規格のものを使用する。
【００１２】
まず、本考案の軽トラックのコンパネ用コーナーブラケットの取付要領を図面に基づいて説明する。
図５の一部省略斜視図に示すように、軽トラックのあおり１４を閉めた状態で前記コンパネ用コーナーブラケット１，２を取り付ける。軽トラックのあおり１４が左側の場合、コンパネ用コーナーブラケット１は前部に、コンパネ用コーナーブラケット２は後部に取り付ける。前後のコンパネ支持ブラケット３，４の内側溝同士の間隔を、コンパネの長さ１８００ｍｍ±１０ｍｍの余裕をつけて予め、荷台床面に印をつけておく。そして、シャコ万力で両方のコンパネ用コーナーブラケット１，２を仮止めする。怪我をしないように注意し、電動ドリル（Ｍ６鉄鋼キリ）であおり１４に穴を開け、開けた穴には錆びないようにタッチペイントを塗り充分乾燥させてからコンパネ支持ブラケット３，４の取付固定片５，７を取り付ける。
右側のあおり１４も同じ要領で、逆向きにコンパネ用コーナーブラケット２は前部に、コンパネ用コーナーブラケット１は後部に取り付ける。
【００１３】
図４の説明図に詳細に示すように、トラビス１５に丸ワッシャー１６を通し、あおり１４の外側から取付固定片７の長孔１１に挿入し、内側に丸ワッシャー１６、スプリングワッシャー１７を通し、ナット１８を締めて固定する。
あおり１４の下端位置においても同様に、トラビス１５に丸ワッシャー１６を通し、あおり１４の外側から取付固定片９の長孔１２に挿入し、内側に丸ワッシャー１６、スプリングワッシャー１７を通し、ナット１８を締めて固定する。
同じ要領で、左右のあおり１４の４個所にコンパネ用コーナーブラケット１及びコンパネ用コーナーブラケット２を固定する。
【００１４】
次に、本考案の軽トラックのコンパネ用コーナーブラケットの操作動作を図面に基づいて説明する。
前記コンパネ用コーナーブラケット１とコンパネ用コーナーブラケット２を軽トラックのあおり１４に沿って、図１（ａ）のコンパネ用コーナーブラケット１を荷台後部に、図１（ｂ）のコンパネ用コーナーブラケット２を荷台前部に、夫々固定すると共に、反対側のあおり１４には、逆向きに図１（ｂ）のコンパネ用コーナーブラケット２を荷台後部に、図１（ａ）のコンパネ用コーナーブラケット１を荷台前部に、夫々固定する。
したがって、軽トラック荷台の四隅にコンパネ用コーナーブラケット１同士及びコンパネ用コーナーブラケット２同士が互いに対角線上になるように配置される。
そして、図６の全体斜視図に示すように、軽トラックのあおり１４に沿ってコンパネ１９（１８００ｍｍ×９００ｍｍ×１２ｍｍ）を上から静かに挿入する。なお、軽トラックの前部と後部のコンパネ１９はスケールで寸法を測り、−１０ｍｍ位で切断し、上から静かに挿入する。
【００１５】
そして、図７の斜視図に示すように、コンパネ１９同士を連結する断面Ｕ字溝を備えたＬ型のコンパネ用コーナーラック２０をコンパネ１９の上部四隅に挿入する。
前記コンパネ用コーナーラック２０は、積載物がおが屑のような粉粒体の場合、走行中の風圧によりおが屑が上から飛散しないように被せる防風ネットの四隅を固定することが出来るし、また移動中にコンパネ１９が開かないようにコンパネ１９同士の上端部を連結固定し、肥料袋等の空袋上部を前記コンパネ用コーナーラック２０で押えることにより四隅に出来る隙間を防ぐことが出来る。
【符号の説明】
【００１６】
１  コンパネ用コーナーブラケット
２  コンパネ用コーナーブラケット
３  コンパネ支持ブラケット
４  コンパネ支持ブラケット
５  上板
６  底板
７  取付固定片
８  支持固定片
９  取付固定片
１０  支持固定片
１１  長孔
１２  長孔
１３  切り欠き
１４  あおり
１５  トラビス
１６  丸ワッシャー
１７  スプリングワッシャー
１８  ナット
１９  コンパネ
２０  コンパネ用コーナーラック
【図１】
0003176414.tif 000003
【図２】
0003176414.tif 000004
【図３】
0003176414.tif 000005
【図４】
0003176414.tif 000006
【図５】
0003176414.tif 000007
【図６】
0003176414.tif 000008
【図７】
0003176414.tif 000009